【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】  テキストメッセージを表示する英数字表示器のない無線通信装置を使用して、中央メッセージ記憶領域を含んでいる無線通信システムにおける音声メールメッセージ通知および検索をする無線通信装置であって、
遠隔位置の無線通信装置からの無線伝送を検出するアンテナと、
検出された無線伝送に基づいた無線通信メッセージを受信するためアンテナに接続された受信機であって、無線通信メッセージが、無線通信装置のため中央メッセージ記憶領域に記憶された音声メールメッセージの数の指示データを含み、かつ無線通信装置のため中央メッセージ記憶領域に記憶された音声メールメッセージを検索するコールのため動的コールバック電話番号の伝送された指示データのデータ部分を含んでいる予定のフォーマットを有する受信機と、
無線通信装置のため中央メッセージ記憶領域に記憶された音声メールメッセージの数の指示データを記憶する記憶位置と、
少なくとも１つの音声メールメッセージが無線通信装置のために中央メッセージ記憶領域に記憶されたことの指示をユーザに提供するため、記憶位置がゼロより大きいデータ値を有するとき選択的に可能にされ、記憶位置がゼロに等しいデータ値を有するとき選択的に不可能にされる音声メールメッセージ通知回路と、
無線通信装置のために中央メッセージ記憶領域に記憶された音声メールメッセージを検索するコールのため予定のコールバック電話番号の予定の指示データを記憶する第１のコールバック番号記憶領域と、
無線通信メッセージ内にデータが含まれて伝送されたなら、無線通信装置のために中央メッセージ記憶領域に記憶された音声メールメッセージを検索するコールのため動的コールバック電話番号の伝送された指示データを記憶する第2のコールバック番号記憶領域と、
アンテナに接続され、中央メッセージ記憶領域から音声メールメッセージを検索するために音声メールメッセージ検索要求を伝送し、無線通信メッセージ内にデータが含まれて伝送されたなら中央メッセージ記憶領域から音声メールメッセージを検索するために動的コールバック電話番号を使用し、無線通信メッセージが無線通信メッセージ内に伝送されたデータを含まないなら予定のコールバック電話番号を使用する送信機とを含んでいる無線通信装置。
【請求項２】  音声メールメッセージ通知回路が、少なくとも１つの音声メールメッセージが無線通信装置のために中央メッセージ記憶領域に記憶されたことの可視指示をユーザに提供するため、記憶位置がゼロより大きいデータ値を有するとき選択的に可能にされる点滅光を含む請求項１の無線通信装置。
【請求項３】  音声メールメッセージ通知回路が、少なくとも１つの音声メールメッセージが無線通信装置のために中央メッセージ記憶領域に記憶されたことの可聴指示をユーザに提供するため、記憶位置がゼロより大きいデータ値を有するとき選択的に可能にされる可聴信号を含む請求項１の無線通信装置。
【請求項４】  可聴信号が変わったダイヤルトーンである請求項３の無線通信装置。
【請求項５】  中央メッセージ記憶領域に記憶された音声メールメッセージの数の指示データを記憶する記憶位置が速いダイヤル記憶領域の部分にある速いダイヤル記憶領域をさらに含む請求項１の無線通信装置。
【請求項６】  ユーザにより操作されるキーパッドと、キーパッドに接続され予定のシーケンスでキーパッドのキーのユーザ活性化に応答する処理装置とをさらに含み、処理装置はキーパッドのキーの予定のシーケンスのユーザ活性化に応答して音声メールメッセージ検索要求を伝送するため送信機を活性化する請求項１の無線通信装置。
【請求項７】  第1のコールバック番号記憶領域に記憶された予定のコールバック電話番号がサービスプログラムドコールバック電話番号である請求項１の無線通信装置。
【請求項８】  無線通信メッセージが伝送されたデータを含まないなら、第2のコールバック番号記憶領域に記憶された動的コールバック電話番号をクリアする処理装置をさらに含む請求項１の無線通信装置。
【請求項９】  第2のコールバック番号記憶領域が速いダイヤル記憶領域の部分にある速いダイヤル記憶領域をさらに含む請求項８の無線通信装置。
【請求項１０】  中央メッセージ記憶領域を含んでいる無線通信システムにおける音声メールメッセージ通知および検索をする無線通信装置であって、
中央メッセージ記憶領域から無線通信装置への音声メールメッセージ通知を検出しかつ処理する音声メールメッセージ通知処理装置であって、音声メールメッセージ通知が、伝送されたコールバック電話番号を選択的に含む可能性のある音声メール検索コールバック電話番号を含む音声メールメッセージ通知処理装置と、
音声メールメッセージ通知とともに伝送されたなら、伝送されたコールバック電話番号を記憶する動的コールバック番号記憶領域と、
無線通信装置のために中央メッセージ記憶領域に記憶された音声メールメッセージを検索するコールのため予定の電話番号を記憶する予定のコールバック番号記憶領域と、
中央メッセージ記憶領域からの音声メールメッセージを検索するために音声メールメッセージ検索要求を伝送する送信機であって、動的コールバック番号が音声メールメッセージ通知とともに伝送されたなら、中央メッセージ記憶領域から音声メールメッセージを検索するために動的コールバック番号記憶領域に記憶された伝送されたコールバック電話番号を使用し、音声メールメッセージ通知が伝送されたコールバック電話番号を含まないなら、中央メッセージ記憶領域から音声メールメッセージを検索するため予定のコールバック番号記憶領域に記憶された予定の電話番号を使用する送信機とを含んでいる無線通信装置。
【請求項１１】  記憶位置がゼロに等しいデータ値を有するとき、音声メールメッセージ通知回路が選択的に不能にされる請求項10の無線通信装置。
【請求項１２】  ユーザにより操作可能なキーパッドと、キーパッドに接続され予定のシーケンスでキーパッドのキーのユーザ活性化に応答する処理装置とをさらに含み、処理装置はキーパッドのキーの予定のシーケンスのユーザ活性化に応答して音声メールメッセージ検索要求を伝送するため送信機を活性化する請求項10の無線通信装置。
【請求項１３】  音声メールメッセージ通知回路が、少なくとも１つの音声メールメッセージが無線通信装置に転送されるために中央メッセージ記憶領域に記憶されたことの可視指示をユーザに提供するため、記憶位置がゼロより大きいデータ値を有するとき選択的に可能にされる光を含む請求項10の無線通信装置。
【請求項１４】  音声メールメッセージ通知回路が、少なくとも１つの音声メールメッセージが無線通信装置に転送されるために中央メッセージ記憶領域に記憶されたことの可聴指示をユーザに提供するため、記憶位置がゼロより大きいデータ値を有するとき選択的に可能にされる可聴信号を含む請求項10の無線通信装置。
【請求項１５】  音声メールメッセージ通知処理装置は、もし音声メールメッセージ通知がコールバック電話番号を含まないなら動的コールバック番号記憶領域に記憶されたデータをクリアし、送信機は中央メッセージ記憶領域からの音声メールメッセージを検索するため予定のコールバック番号記憶領域に記憶された電話番号を使用する請求項10の無線通信装置。
【請求項１６】  テキストメッセージを表示する英数字表示器のない無線通信装置を使用して、中央メッセージ記憶領域を含んでいる無線通信システムにおける音声メールメッセージ通知および検索をする無線通信装置を使用する方法であって、
無線通信装置のため中央メッセージ記憶領域に記憶された音声メールメッセージを検索するためコールする予定のコールバック電話番号を記憶し、
中央メッセージ記憶領域から無線通信装置への音声メールメッセージ通知を検出し、音声メールメッセージ通知は、伝送されたコールバック電話番号を選択的に含む可能性のある音声メール検索コールバック電話番号とを含み、
無線通信装置へ転送されるための中央メッセージ記憶領域に記憶された音声メールメッセージの数の指示データを記憶し、
音声メールメッセージ通知とともに伝送されたなら、伝送されたコールバック電話番号を記憶し、
中央メッセージ記憶領域からの音声メールメッセージを検索するために記憶され伝送されたコールバック電話番号を使用して音声メールメッセージ検索要求を伝送し、
音声メールメッセージ通知が伝送された音声メール検索コールバック電話番号を含まないなら、中央メッセージ記憶領域から音声メールメッセージを検索するため予定のコールバック電話番号を使用して音声メールメッセージ検索要求を伝送するステップを含んでいる方法。
【請求項１７】  記憶されたデータがゼロに等しいデータ値を有するとき、メッセージ指示器を選択的に不能にするステップをさらに含む請求項16の方法。
【請求項１８】  予定のコールバック電話番号がサービスプログラムドコールバック電話番号である請求項16の方法。
【請求項１９】  予定のシーケンスでキーパッドのキーを活性化するためキーパッドのユーザ操作を感知するステップをさらに含み、音声メールメッセージ検索要求を伝送するステップがキーパッドのキーの予定のシーケンスのユーザ活性化に応答して実行される請求項16の方法。
【請求項２０】  メッセージ指示器が光を含み、メッセージ指示器を選択的に可能にするステップが光をターンオンするステップを含む請求項16の方法。
【請求項２１】  メッセージ指示器が音源を含み、メッセージ指示器を選択的に可能にするステップが音源を使用して可聴信号を発生するステップを含む請求項16の方法。
【請求項２２】  次に受信された音声メールメッセージ通知が伝送されたコールバック電話番号を含まないなら、記憶された伝送されたコールバック電話番号をクリアするステップをさらに含み、伝送するステップが中央メッセージ記憶領域からの音声メールメッセージを検索するため記憶された予定の電話番号を使用する請求項16の方法。